(57)【要約】【課題】  この発明は、ロック軸の施錠状態ではロック軸の緩み止めが行われ、構造が簡単で解錠状態では簡単にロック軸に操作部材を取付けることができるロック装置を提供する。【解決手段】  収納凹部体２に防水扉３を倒伏位置Ａと起立位置Ｂに回動可能に設ける。収納凹部体２に設けたナット部３８と防水扉３の貫通孔３０に設けたロック軸１５とでロック装置１２を構成する。防水扉３を倒伏位置Ａとしてロック軸１５をナット部３８に螺合して施錠状態とする。ロック軸１５が所定量緩むとロック軸１５の二面幅部３１と貫通孔３０の二面幅部２８とが係合しロック軸１５の回動が規制され更に緩むことが防止される。また、解錠状態では防水扉３から突出したロック軸１５の上部ネジ部３２に操作部材を取付けることができる。【選択図】  図４
2010150786.tif 000002
【特許請求の範囲】
【請求項１】
道路や出入口の床面に設けられた埋設枠体と埋設枠体の開口を閉じる蓋部材とを施錠するロック装置であって、蓋部材に蓋部材の厚み方向を上下に貫通する貫通孔にロック軸を移動可能に備え、埋設枠体の開口を蓋部材で閉じた状態で埋設枠体に蓋部材をロック軸により施錠可能なロック装置において、前記ロック軸の下端に下部ネジ部を形成しロック軸方向中間の外径部に鍔部を設け、ロック軸の鍔部と蓋部材間にロック軸を上側へ付勢する付勢部材を設け、蓋部材にロック軸の鍔部の断面形状と同形状でロック軸の鍔部と係合してロック軸を回り止め可能な係合孔を備えた回り止め部材を設け、埋設枠体にロック軸の前記下部ネジ部と螺合するナット部を設け、ロック軸の鍔部と回り止め部材の係合孔との係合解除状態でロック軸の鍔部の上面と回り止め部材の下面との間に軸方向に所定量の隙間を設けてロック軸とナット部とが螺合した施錠状態と、ロック軸が付勢部材に付勢されて前記隙間より上側へ移動してロック軸の鍔部と回り止め部材の係合孔との係合状態でロック軸とナット部とが螺合した回動規制施錠状態と、ロック軸とナット部とを離脱した状態でロック軸が付勢部材により上側に付勢されてロック軸の鍔部が回り止め部材の係合孔に嵌まり込んで係合した解錠状態とになるようにしたことを特徴とするロック装置。
【請求項２】
前記ロック軸の鍔部に二面幅部を形成し、前記回り止め部材の係合孔にロック軸の鍔部の二面幅部と同形状の二面幅部を形成し、鍔部の二面幅部と係合孔の二面幅部との係合によりロック軸を回り止め可能に構成したことを特徴とする請求項１記載のロック装置。
【請求項３】
ロック軸の上端部に解錠状態で前記付勢部材によりロック軸が付勢されると蓋部材の厚み方向上側に突出する上部ネジ部を形成すると共に三角形状のレンチ孔を形成し、その三角形状レンチ孔に差し込まれロック軸を回転操作するためのレンチを備えたことを特徴とする請求項１または２記載のロック装置。
【請求項４】
埋設枠体は防水扉装置の収納凹部体であり、蓋部材は防水扉装置の倒伏位置と起立位置とに回動可能な防水扉であり、倒伏位置の防水扉を収納凹部体に施錠可能に構成したことを特徴とする請求項１から３何れか１項記載のロック装置。
【請求項５】
解錠状態で防水扉の厚み方向上側に突出した上部ネジ部に防水扉を起立位置に回動するための操作取っ手または玉掛けできるアイナットを取付けるようにしたことを特徴とする請求項４記載のロック装置。
【発明の詳細な説明】
【技術分野】
【０００１】
本発明は、道路や出入口の床面に設けられた埋設枠体の開口を閉じる蓋部材を施錠及び解錠可能なロック装置に関し、特に、埋設枠体としての防水扉装置の収納凹部体やマンホールの受枠を蓋部材としての防水扉装置の防水扉やマンホールの蓋で閉じて施錠及び解錠可能なロック装置に関する。
【背景技術】
【０００２】
従来、道路に設けられたマンホールや防水扉装置等の開口を有する埋設枠体と埋設枠体の開口を閉じる蓋部材とを施錠するロック装置として、特許文献１、２のものが知られている。特許文献１のものでは、蓋部材に締付ボルト（ロック軸）を貫通している。また、受枠（埋設枠体）にはネジ孔とケース部を設けて、ケース部に締付ボルトが螺合する摩擦ナットに結合されたナット係合部材とナット係合部材の回転を係止する揺動部材とを備えている。蓋部材の施錠状態では、締付ボルトを緩めようとすると締付ボルトと一緒に摩擦ナットが回転し、摩擦ナットが受枠に当接してロックナットの作用をすることで締付ボルトが抜き取ることができなくなる。解錠状態にするためには、前記の状態から決められた回転数だけ締付ボルトをねじ込む方向に回転させると、ナット係合部材の歯と揺動部材の爪とが係止状態となる。この状態で締付ボルトを抜き取る方向に回転させると、摩擦ナットが回転を規制されて締付ボルトを抜き取ることができるようになっている。
【０００３】
特許文献２のものでは、蓋部材に設けられた外筒に内筒（ロック軸）を上下動および回動可能に設けてある。内筒は、上端にネジ部が設けられ、中間部に外筒のガイドピンが係合するカム溝部が設けられ、下端に掛金が設けられている。蓋部材の施錠状態では掛金が固定壁（埋設枠体）の受部と係合している。解錠状態にする場合には、操作ハンドル（レンチ）により内筒を回転すると、内筒がガイドピンとガイド溝により回転しながら上昇して掛金が受部から離脱し内筒のネジ部が蓋部材から一部突出する。突出したネジ部には操作ハンドルを取付けたりアイナットを取付けることができるようになっている。
【特許文献１】特開平５−３４０４１６号公報
【特許文献２】特許第３２９１２６９号公報
【発明の開示】
【発明が解決しようとする課題】
【０００４】
しかしながら、特許文献１に記載のロック装置は、施錠状態から解錠状態にするためには、締付ボルトを決められた回転数だけ回動して抜取らなければならないと共に摩擦ナットとネジ孔に締付ボルトが螺合しているため螺合長さが長く緩めるのに時間が掛かる問題があった。また、部品点数が多く構造が複雑であり、壊れやすい問題があった。また、特許文献２に記載のロック装置は、カム溝とガイドピンとで内筒を上下動および回動可能に設けてあり、解錠時には内筒のネジ部の一部を蓋部材から突出することができるが、操作ハンドルやアイナットを取付けるときに内筒がガイド溝に沿って蓋部材内に入り込んでしまう恐れがあり、操作ハンドルやアイナットの取付に手間取る問題があった。また、蓋部材を施錠状態とするためには、掛金が受部と対向し係合する位置にしなければならず、解錠するためには掛金を受部と対向しない位置にしなければならず、掛金に施錠状態と解錠状態とで指向性があるので、内筒に指向性すなわち内筒を所定の定められた量だけ回転しなければ施錠できない問題があった。
そこで、本発明の課題は、上記問題点に鑑みなされたものであって、施錠状態とするためにロック軸に指向性がなく強く締め込んだ状態から締め込みが僅かに緩んだ状態までの施錠状態ではどんな締付位置からでもロック軸の回動規制により緩み止めが行われ、構造が簡単で解錠時には素早く解錠状態にすることができ、解錠状態では簡単にロック軸に操作ハンドルやアイナット等の操作部材を取付けることができるロック装置を提供することを目的とする。
【課題を解決するための手段】
【０００５】
上記目的を達成するために、請求項１に記載の発明は、道路や出入口の床面に設けられた埋設枠体と埋設枠体の開口を閉じる蓋部材とを施錠するロック装置であって、蓋部材に蓋部材の厚み方向を上下に貫通する貫通孔にロック軸を移動可能に備え、埋設枠体の開口を蓋部材で閉じた状態で埋設枠体に蓋部材をロック軸により施錠可能なロック装置において、前記ロック軸の下端に下部ネジ部を形成しロック軸方向中間の外径部に鍔部を設け、ロック軸の鍔部と蓋部材間にロック軸を上側へ付勢する付勢部材を設け、蓋部材にロック軸の鍔部の断面形状と同形状でロック軸の鍔部と係合してロック軸を回り止め可能な係合孔を備えた回り止め部材を設け、埋設枠体にロック軸の前記下部ネジ部と螺合するナット部を設け、ロック軸の鍔部と回り止め部材の係合孔との係合解除状態でロック軸の鍔部の上面と回り止め部材の下面との間に軸方向に所定量の隙間を設けてロック軸とナット部とが螺合した施錠状態と、ロック軸が付勢部材に付勢されて前記隙間より上側へ移動してロック軸の鍔部と回り止め部材の係合孔との係合状態でロック軸とナット部とが螺合した回動規制施錠状態と、ロック軸とナット部とを離脱した状態でロック軸が付勢部材により上側に付勢されてロック軸の鍔部が回り止め部材の係合孔に嵌まり込んで係合した解錠状態とになるようにしたことを特徴とする。
【０００６】
また、請求項２に記載の発明は、前記ロック軸の鍔部に二面幅部を形成し、前記回り止め部材の係合孔にロック軸の鍔部の二面幅部と同形状の二面幅部を形成し、鍔部の二面幅部と係合孔の二面幅部との係合によりロック軸を回り止め可能に構成したことを特徴とする。また、請求項３に記載の発明は、ロック軸の上端部に解錠状態で前記付勢部材によりロック軸が付勢されると蓋部材の厚み方向上側に突出する上部ネジ部を形成すると共に三角形状のレンチ孔を形成し、その三角形状レンチ孔に差し込まれロック軸を回転操作するためのレンチを備えたことを特徴とする。また、請求項４に記載の発明は、埋設枠体は防水扉装置の収納凹部体であり、蓋部材は防水扉装置の倒伏位置と起立位置とに回動可能な防水扉であり、倒伏位置の防水扉を収納凹部体に施錠可能に構成したことを特徴とする。また、請求項５に記載の発明は、解錠状態で防水扉の厚み方向上側に突出した上部ネジ部に防水扉を起立位置に回動するための操作取っ手または玉掛けできるアイナットを取付けるようにしたことを特徴とする。
【発明の効果】
【０００７】
本願の請求項１の発明では、前記ロック軸の下端に下部ネジ部を形成しロック軸方向中間の外径部に鍔部を設け、ロック軸の鍔部と蓋部材間にロック軸を上側へ付勢する付勢部材を設け、蓋部材にロック軸の鍔部の断面形状と同形状でロック軸の鍔部と係合してロック軸を回り止め可能な係合孔を備えた回り止め部材を設け、埋設枠体にロック軸の前記下部ネジ部と螺合するナット部を設け、ロック軸の鍔部と回り止め部材の係合孔との係合解除状態でロック軸の鍔部の上面と回り止め部材の下面との間に軸方向に所定量の隙間を設けてロック軸とナット部とが螺合した施錠状態と、ロック軸が付勢部材に付勢されて前記隙間より上側へ移動してロック軸の鍔部と回り止め部材の係合孔との係合状態でロック軸とナット部とが螺合した回動規制施錠状態と、ロック軸とナット部とを離脱した状態でロック軸が付勢部材により上側に付勢されてロック軸の鍔部が回り止め部材の係合孔に嵌まり込んで係合した解錠状態とになるようにした。また、本願の請求項２の発明では、前記ロック軸の鍔部に二面幅部を形成し、前記回り止め部材の係合孔にロック軸の鍔部の二面幅部と同形状の二面幅部を形成し、鍔部の二面幅部と係合孔の二面幅部との係合によりロック軸を回り止め可能に構成した。また、本願の請求項３の発明では、ロック軸の上端部に解錠状態で前記付勢部材によりロック軸が付勢されると蓋部材の厚み方向上側に突出する上部ネジ部を形成すると共に三角形状のレンチ孔を形成し、その三角形状レンチ孔に差し込まれロック軸を回転操作するためのレンチを備えた。また、本願の請求項４の発明では、埋設枠体は防水扉装置の収納凹部体であり、蓋部材は防水扉装置の倒伏位置と起立位置とに回動可能な防水扉であり、倒伏位置の防水扉を収納凹部体に施錠可能に構成した。また、請求項５に記載の発明は、解錠状態で防水扉の厚み方向上側に突出した上部ネジ部に防水扉を起立位置に回動するための操作取っ手または玉掛けできるアイナットを取付けるようにした。これらによれば、ロック軸が僅かに緩むと付勢部材により付勢されたロック軸の鍔部と回り止め部材の係合孔とが係合してロック軸が回り止めされるので、ロック軸がそれ以上緩むことが無く解錠状態とならないと共に部品点数が少なく構造が簡単になる。また、施錠状態では、ロック軸がナット部にのみ螺合しているので従来より螺合長さが短く、素早く解錠状態にできる。また、解錠状態では、ロック軸が付勢部材に付勢されてロック軸の上端の上部ネジ部が蓋部材から突出するので、上部ネジ部に蓋部材を持ち上げたり吊るしたりする等の操作のための操作部材を取付けるときに上部ネジ部が没入する恐れがなく、上部ネジ部に蓋部材を持ち上げたり玉掛け作業したりする等の操作のための操作部材を容易に取付けることができ、蓋部材を持ち上げる等の操作が簡単に行えるようになる。また、ロック軸に三角形状レンチ孔を形成したのでロック軸の回動操作も行える。また、防水扉に操作部材として操作取っ手を取付けるようにしたので、手動で防水扉を起立させる場合では、防水扉の自重による倒れようとする力より防水扉を起立させるための力を防水扉の回動中心から離れた位置で作用させることができるので、防水扉の回動操作が容易となる。また、操作部材としてアイナットを取付ければ防水扉の玉掛け作業が簡単にできる。
【発明を実施するための最良の形態】
【０００８】
本願発明の実施の形態について、図面を参照して説明する。本願実施の形態ではロック装置１５を、建物や駐車場や地下街等の出入口の通路の床面Ｆに配置される防水扉装置１に適用したもので説明する。図１〜図１２に示す防水扉装置１は、例えば特開２００６−８３５９５号公報に記載のものと略同様に構成されている。防水扉装置１の概要について以下に説明する。図１〜図３に示すように、建物や駐車場や地下街等の出入口の通路の床面Ｆに埋設される埋設枠体としての箱型の収納凹部体２に、収納凹部体２の開口を閉じる蓋部材としての防水扉３の基部３ａを枢着してある。その防水扉３を作業者による手動操作により、収納凹部体２の開口を閉塞する倒伏位置Ａから前記出入口を閉塞する起立位置Ｂに回動させるようにしたものである。
【０００９】
収納凹部体２は、通路の横幅と略同じかそれよりも大きい横幅を有する矩形の浅い凹部であり、コンクリートや金属枠等で構成されている。収納凹部体２は、図示しない排水管が連結されて、収納凹部体２内に侵入した水をその排水管から排出するようにしてある。また、防水扉３と収納凹部体２の間には、防水扉３の基部３ａを枢支して防水扉３を傾倒可能とするヒンジ装置４と、防水扉３を起立位置Ｂに向けて付勢する起立補助装置５と、扉枠６に装着された垂直方向のシール部材７に押し付けた状態でロックする防水用ロック装置８とを備えている。起立補助装置５は、本願実施の形態ではコイルバネで構成されている。前記扉枠６は、図１に示すように、収納凹部体２のヒンジ装置４側の左右に立設されている。扉枠６のシール部材７の下端部は、図２に示すように、収納凹部体２のヒンジ装置４側に防水扉幅方向に装着されたシール部材９に連続して取付けられている。
【００１０】
防水扉３は、平板状の防水板１０の下面に複数本のリブ（補強部材）１１を縦横に夫々所定間隔で固着して構成してある。この防水扉装置１の防水扉３の先端部３ｂ側には、ロック装置１２が設けられている。本願実施の形態ではロック装置１２は防水扉３の扉幅方向に２個所設けてあるが、１個所以上設けてあればよい。ロック装置１２について説明する。図４、図５に示すように、防水扉３には、上軸案内部材１３が固着されている。上軸案内部材１３には、ロック軸上部案内孔１４が形成されている。ロック軸上部案内孔１４は、後述のロック軸１５の上軸部１６を案内する上軸部案内孔１７とロック軸１５の鍔部１８を収納する上鍔部収納孔１９とから成っている。上軸案内部材１３の下部には下軸案内部材２０が固着されている。下軸案内部材２０には、ロック軸１５の下軸部２１を案内するロック軸下部案内孔２２が形成されており、ロック軸下部案内孔２２は、ロック軸１５の鍔部１８を収納する下鍔部収納孔２３と付勢部材収容部２４を備えた下軸部案内孔２５とから成っている。上軸案内部材１３と下軸案内部材２０との間には回り止め部材２７が装着されている。回り止め部材２７には、図６に示すように二面幅部２８を備えた係合孔２９が形成されている。前記ロック軸上部案内孔１４と係合孔２９とロック軸下部案内孔２２とは、防水扉３の厚み方向を上下に貫通する貫通孔３０と成っている。
【００１１】
ロック軸１５は、ロック軸方向中間の外形部に設けた鍔部１８と、鍔部１８より上側の上軸部１６と、鍔部１８より下側の下軸部２１とから成っている。鍔部１８には、図７に示すように二面幅部３１が形成されており、前記回り止め部材２７の二面幅部２８と同形状となっている。尚、鍔部１８と回り止め部材２７の係合孔２９に二面幅部３１，２８を夫々設けて、後述のように鍔部１８の二面幅部３１と係合孔２９の二面幅部２８との係合によりロック軸１５の回動を回り止めしているが、鍔部１８と係合孔２９とを同一形状の楕円形状や四角形状等にしても良い。上軸部１６の上端部分には、上部ネジ部３２が形成されていると共に図８に示すように三角形状のレンチ孔３３が形成されている。この上軸部１６の上部ネジ部３２には操作部材が取付けられるようになっている。操作部材は、後述の操作取っ手３４や防水扉を吊り下げるためのアイナットである。また、下軸部２１の下端には、下部ネジ部３６が形成されている。このロック軸１５は、貫通孔３０に防水扉３の厚み方向上下に移動可能に挿入されている。ロック軸１５の下軸部２１と付勢部材収容孔２４との間には付勢部材としてのロック軸付勢ばね３７が介装されており、ロック軸１５の鍔部１８を防水扉３の厚み方向上側へ付勢している。
【００１２】
収納凹部体２には、図４、図５に示すように、ナット部３８が設けられている。ナット部３８について説明する。収納凹部体２に設けたベース３９に立設されたガイド軸４０が固定ナット４１のネジ孔４２に挿入されている。固定ナット４１は、前記ロック軸１５の下部ネジ部３６と螺合するネジ孔４２と、ネジ孔４２より大径のばね収容孔４３とが設けられており、直方体に形成されている。固定ナット４１のばね収容孔４３とベース３９間に固定ナット４１を上側へ付勢するナット付勢ばね４４を介装してある。また、ベースには、ナットガイド部材４５を設けてあり、ナットガイド部材４５の断面四角形状のガイド孔４６に固定ナット４１を回転不能で上下移動可能に挿通し、固定ナット４１の上面４１ａが上板４７の下面に当接するように成っている。ナットガイド部材４５の上板４７には、ロック軸１５が挿通可能な透孔４８が形成されている。
【００１３】
防水扉３の上面には操作取っ手３４を引っ掛けるための引っ掛けピン４９がロック軸１５の近傍に設けられている。操作取っ手３４は、図９、図１０に示すように、一端側に引っ掛けピン４９に引っ掛かる引っ掛け部５０と、操作取っ手本体５１にロック軸１５の上部ネジ部３２と螺合する取っ手取付用ネジ孔が形成された軸部５２を回動可能に備えたハンドル部５３と、他端側にグリップ部５４とが設けられている。また、操作取っ手３４には前記三角形状のレンチ孔３３に係合可能なレンチ５５を保持できるようになっている。
【００１４】
次に動作について説明する。先ず、防水扉３が倒伏位置Ａにある状態（閉じた状態）でロック装置１２により施錠状態とする場合について説明する。ロック軸１５の三角形状のレンチ孔３３にレンチ５５を差し込んで係合し、ロック軸１５をロック軸付勢ばね３７の付勢力に抗して防水扉３の厚み方向の下側へ押込み下鍔部収納孔２３にロック軸１５の鍔部１８を位置させると、図４に示すように、鍔部１８の二面幅部３１と回り止め部材２７の係合孔２９の二面幅部３２との係合が外れる。このとき、ロック軸１５の下部ネジ部３６により固定ナット４１がナット付勢バネ４４の付勢力に抗して下方向に押される。この状態でレンチ５５によりロック軸１５を回転して固定ナット４１が上板４７に当接するまで下部ネジ部３６を固定ナット４１のネジ孔４２に螺合する。これにより防水扉３が収納凹部体２に施錠状態とされる。このときロック軸１５の上部ネジ部３２は、図４に示すように防水扉３の貫通孔３０内に没入した状態となっている。
【００１５】
また、図４に示すように、鍔部１８の上面と回り止め部材２７の下面との間にロック軸１５の軸方向に所定量の隙間ａが形成される。この隙間ａは適宜な大きさに設定されており、ロック軸１５の下部ネジ部３６と固定ナット４１の緩みを許容するようになっている。この隙間ａは下部ネジ部３６のネジのピッチとロック軸１５の所定回転数から決定されており、例えば０．５〜２回転程度に設定されている。この隙間ａにより製作誤差や鍔部１８と下軸案内部材２０との間に砂等が挟まったとしても、ロック軸１５を押し込んで鍔部１８と係合孔２９との係合を解除して回転することが容易にできるようになっていると共にロック軸１５と固定ナット４１との螺合が緩んだときに、緩みすぎない適切なタイミングで自動的にロック軸１５が回り止め部材２７により回り止めされ、回動規制施錠状態になる。また、この施錠状態でロック軸１５の操作を知らない第三者が防水扉装置１のロック装置１２を解錠しようとしても、三角形状の特殊な形状のレンチ孔であると共に、ロック軸１５を回転し固定ナット４１から緩めると、ロック軸付勢バネ３７の付勢によりロック軸１５が上側に移動し、鍔部１８と係合孔２９との形状が一致すると鍔部１８が係合孔２９と係合してロック軸１５を回転することができず、ロック装置１２を解錠することが簡単にはできない。尚、固定ナット４１が上板４７に当たるまでロック軸１５を回転する強い締め込みとしたが、ロック軸１５の鍔部が回り止め部材２７より下に位置するように締め込みを僅かに緩い状態としていても良い。
【００１６】
次に回動規制施錠状態について説明する。防水扉３の上面４１ａを自動車等が通過し振動によりロック軸１５が所定回転数回転して固定ナット４１から緩むとロック軸付勢バネ３７によりロック軸１５が隙間ａ上方に移動し、鍔部１８と係合孔２９との形状が一致すると、鍔部１８が係合孔２９に嵌まり込んで係合する。この鍔部１８と係合孔２９との係合状態では、図１１に示すように、鍔部１８の二面幅部３１と係合孔２９の二面幅部２８とによりロック軸１５が固定ナット４１に対して回り止めされて回動規制施錠状態とされる。この回動規制施錠状態でロック軸１５の操作を知らない者が防水扉装置１のロック装置１２を解錠しようとしても鍔部１８と係合孔２９との係合によりロック軸１５を回転することができず、ロック装置１２を解錠することが簡単にはできない。これら施錠状態と回動規制施錠状態では、ロック軸１５の上部ネジ部３２が防水扉３の貫通孔３０内に略没入しており、防水扉３の表面が平坦になるので、人や自動車の通行の妨げにならないと共にロック軸１５の上部ネジ部３２が見えないので意匠性が向上する。
【００１７】
次にロック装置１２を解錠状態とする場合について説明する。施錠状態または回動規制施錠状態で、レンチ５５をロック軸１５の三角形状のレンチ孔３３に係合する。レンチ５５によりロック軸１５をロック軸付勢ばね３７に抗して鍔部１８が回り止め部材２７より下となり、鍔部１８と係合孔２９との係合が解除され、鍔部１８を下鍔部収納孔２３に押し込んだ状態とする。その状態で、ロック軸１５を下部ネジ部３６とネジ孔４２との螺合を解除する方向に回転する。すると、固定ナット４１がナット付勢ばね４４に抗して下がり、固定ナット４１とロック軸１５との螺合が解除されてロック軸１５がナット部から離脱した状態となる。更に、固定ナット４１とロック軸１５との螺合が解除された状態で、鍔部１８と係合孔２９との形状が一致するようにロック軸１５を回転させると、ロック軸１５がロック軸付勢ばね３７の付勢力により防水扉３の厚み方向上側へ移動される。すると、鍔部１８が上軸案内部材１３の上鍔部収納孔１９に位置すると共に係合孔２９に係合し、ロック軸１５が回り止めされると共に、ロック軸１５の上部ネジ部３２が防水扉３の上面４１ａから突出して、図１２に示す解錠状態とされる。この時、ロック軸１５の下部ネジ部３６と固定ナット４１との螺合が短いので特許文献１に記載のものに比べ素早く解錠できる。
【００１８】
次に、防水扉３を倒伏位置Ａから起立位置Ｂとする場合について説明する。図１２に示す前記解錠状態で、防水扉３の引っ掛けピン４９に操作取っ手３４の引っ掛け部５０を引っ掛け、ロック軸１５の上部ネジ部３２に操作取っ手３４の軸部５２をハンドル部５３を回して螺合し、図１０に示すように、操作取っ手３４を防水扉３に取付ける。この操作取っ手３４の取付時には、ロック軸１５がロック軸付勢ばね３７により上方に常に付勢されているので、上部ネジ部３２が防水扉３上面４１ａから没入することがなく取付が容易となる。この操作取っ手３４のグリップ部５４を持って防水扉３を倒伏位置Ａから起立位置Ｂに移動し、図３に示すように、出入口を塞ぐ。この起立位置Ｂでは、ロック軸１５がロック軸付勢ばね３７により付勢されているのでロック軸１５の鍔部１８の上面が上鍔部収納孔１９の下面に圧接して防水機能を発揮することになり、ロック装置１２から浸水することがない。また、防水扉３の先端部３ｂに操作取っ手３４をロック軸１５の上部ネジ部３２により取付け、防水扉３の先端部３ｂよりグリップ部５４を外側に位置させることで防水扉３の手動による回動が容易となる。
【００１９】
また、ロック装置１２の解錠状態では、防水扉３から突出したロック軸１５の上部ネジ部３２にアイナットを取付けることができ、防水扉３の搬送や施工時やメンテナンス時等にアイナット３５を防水扉３の吊り下げ作業に利用することができる。尚、本願実施の形態では、ロック装置１２を防水扉装置１に適用したもので説明したが、埋設枠体をマンホールの固定受枠とし、固定受枠にナット部３８を設け、マンホールの蓋部材にロック軸１５を蓋部材の厚み方向の上側に付勢するように設ける等してもよい。
【図面の簡単な説明】
【００２０】
【図１】本願発明の防水扉装置の平面図である。
【図２】防水扉を倒伏位置とした状態を説明する側面図である。
【図３】防水扉を起立位置とした状態を説明する側面図である。
【図４】ロック装置の施錠状態を示す縦断面図である。
【図５】図４のＶ−Ｖ線断面図である。
【図６】図５のＶＩ−ＶＩ線断面図である。
【図７】図５のＶＩＩ−ＶＩＩ線断面図である。
【図８】図４のＶＩＩＩ視図である。
【図９】操作取っ手の平面図である。
【図１０】操作取っ手の取付を示す説明図である。
【図１１】ロック装置の回動規制施錠状態を示す縦断面図である。
【図１２】ロック装置の解錠状態を示す縦断面図である。
【符号の説明】
【００２１】
１  防水扉装置
２  収納凹部体（埋設枠体）
３  防水扉（蓋部材）
１２  ロック装置
１５  ロック軸
１８  鍔部
２７  回り止め部材
２８  係合孔の二面幅部
２９  係合孔
３０  貫通孔
３１  鍔部の二面幅部
３２  上部ネジ部
３３  レンチ孔
３４  操作取っ手
３６  下部ネジ部
３７  ロック軸付勢ばね（付勢部材）
３８  ナット部
５５  レンチ
ａ  隙間
Ａ  倒伏位置
Ｂ  起立位置
Ｆ  床面
【図１】
2010150786.tif 000003
【図２】
2010150786.tif 000004
【図３】
2010150786.tif 000005
【図４】
2010150786.tif 000006
【図５】
2010150786.tif 000007
【図６】
2010150786.tif 000008
【図７】
2010150786.tif 000009
【図８】
2010150786.tif 000010
【図９】
2010150786.tif 000011
【図１０】
2010150786.tif 000012
【図１１】
2010150786.tif 000013
【図１２】
2010150786.tif 000014